【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
ナノ構造の集団を含んだ組成物であって、前記集団が５０％以上の量子効率を示し、員ナノ構造がコアおよびシェルを含み、前記コアがＣｄ含有コアまたはＰｂ含有コア以外である前記組成物。
【請求項２】
前記集団が５５％以上の量子効率を示す請求項１に記載の組成物。
【請求項３】
リガンドが前記員ナノ構造の表面に結合する請求項１に記載の組成物。
【請求項４】
前記リガンドが、
【化１】
2009544805.tif 000001
〔ここでｍは０〜２０の整数、ｎは０〜２０の整数、ｏは０〜２０の整数、ｐは１、２または３、ｑは０〜４０の整数、およびＲ'はＭｅまたはＢｕである〕
である請求項３に記載の組成物。
【請求項５】
前記員ナノ構造がＩｎＰコアを含む請求項１に記載の組成物。
【請求項６】
前記員ナノ構造がＺｎＳシェルを含む請求項５に記載の組成物。
【請求項７】
リガンドが前記員ナノ構造の表面に結合し、前記リガンドが、
【化２】
2009544805.tif 000002
〔ここでｎは７〜１２の整数である〕
である請求項６に記載の組成物。
【請求項８】
前記シェルがＺｎＳ、ＺｎＳｅ、またはＺｎＳｅｘＳ１-ｘを含む請求項１に記載の組成物。
【請求項９】
集団におけるナノ結晶の平均直径が２．５ｎｍ未満であるＩｎＰナノ結晶の集団を含む組成物。
【請求項１０】
集団の発光スペクトルの半値全幅が７０ｎｍ未満である、ＩｎＰナノ結晶の集団を含む組成物。
【請求項１１】
前記スペクトルの半値全幅が５０ｎｍ未満である請求項１０に記載の組成物。
【請求項１２】
ＩｎＰナノ構造を生成する方法であって、
酢酸インジウムを含んだ第一の前駆物質を提供すること、
トリス（トリメチルシリル）ホスフィンを含んだ第二の前駆物質を提供すること、および
前記第一および第二の前駆物質をオクタデセン以外の溶媒および酸の存在下で反応させてナノ構造を生成すること、
を含む前記方法。
【請求項１３】
コアシェルナノ構造を生成する方法であって、
ａ）ナノ構造コアを提供すること、および
ｂ）下記ｉ）〜ｉｉｉ）により前記コアを取り囲むシェルを生成すること、
ｉ）ＩＩ族原子を含む第一の前駆物質を提供すること、
ｉｉ）ＶＩ族原子を含む第二の前駆物質を提供すること、および  
ｉｉｉ）ジカルボン酸またはポリカルボン酸であるリガンドの存在下で前記第一および第二の前駆物質を反応させてシェルを生成すること、
を含む前記方法。
【請求項１４】
前記コアがＩＩ-ＶＩ族半導体を含む請求項１３に記載の方法。
【請求項１５】
前記コアがＣｄＳ、ＺｎＳｅまたはＺｎＴｅを含む請求項１４に記載の方法。
【請求項１６】
ナノ結晶がエポキシ、ポリ尿素、またはポリウレタンマトリックス中に埋め込まれ、前記ナノ結晶が前記マトリックス中に埋め込まれた際に実質的にその発光を保持する、発光ナノ結晶の集団を含む発光ナノコンポジットであって、
リガンドが員ナノ結晶の表面に結合し、前記リガンドが、
ａ）前記員ナノ結晶の表面に結合するジカルボン酸部分を含むか、あるいは
ｂ）前記員ナノ結晶の表面に結合するアミン部分を含む脂肪族又は高分子アミンである、前記発光ナノコンポジット。
【請求項１７】
前記コンポジットの光出力が前記マトリックス中に埋め込まれていない同等のナノ結晶集団の光出力の少なくとも１０％である、請求項１６に記載のナノコンポジット。
【請求項１８】
前記リガンドがデシルアミンまたはオクチルアミンである請求項１６に記載のナノコンポジット。
【請求項１９】
前記リガンドが前記員ナノ結晶の表面に結合するジカルボン酸部分を含む、請求項１６に記載のナノコンポジット。
【請求項２０】
前記リガンドが、
【化３】
2009544805.tif 000003
〔ここでｍは０〜２０の整数、ｎは０〜２０の整数、ｏは０〜２０の整数、ｐは１、２または３、ｑは０〜４０の整数である〕、
【化４】
2009544805.tif 000004
、および
【化５】
2009544805.tif 000005
から成る群より選択される請求項１９に記載のナノコンポジット。
【請求項２１】
前記ナノ結晶がＣｄを含有しないナノ結晶である請求項１６に記載のナノコンポジット。
【請求項２２】
前記ナノ結晶がコアシェルナノ結晶であり、前記コアがＩＩＩ-Ｖ族半導体を含む、請求項１６に記載のナノコンポジット。
【請求項２３】
前記ナノ結晶がＩｎＰ／ＺｎＳまたはＩｎＰ／ＺｎＳｅコアシェルナノ結晶またはＩｎＰ／ＺｎＳｅ／ＺｎＳコア／シェル／シェルナノ結晶を含む、請求項１６に記載のナノコンポジット。
【請求項２４】
リガンドが員ナノ結晶の表面に結合し、前記リガンドが前記員ナノ結晶の表面に結合するジカルボン酸部分を含む、マトリックス中に埋め込まれた発光ナノ結晶の集団を含む発光ナノコンポジット。
【請求項２５】
前記ナノ結晶が前記マトリックスに埋め込まれた場合に実質的にその発光を保持する、請求項２４に記載のナノコンポジット。
【請求項２６】
前記リガンドが、
【化６】
2009544805.tif 000006
〔ここでｍは０〜２０の整数、ｎは０〜２０の整数、ｏは０〜２０の整数、ｐは１、２または３、ｑは０〜４０の整数である〕、
【化７】
2009544805.tif 000007
、および
【化８】
2009544805.tif 000008
から成る群より選択される請求項２４に記載のナノコンポジット。
【請求項２７】
前記マトリックスがエポキシ、ポリ尿素、またはポリウレタンを含む、請求項２４に記載のナノコンポジット。
【請求項２８】
発光ナノコンポジットを生成する方法であって、
ナノ結晶の表面に結合するリガンドを持つ発光ナノ結晶を提供し、前記リガンドが、ａ）前記ナノ結晶の表面に結合するジカルボン酸部分を含むか、あるいはｂ）前記ナノ結晶の表面に結合するアミン部分を含む脂肪族又は高分子アミンであること、
第一の混合物を生成するために前記ナノ結晶を一つ以上のマトリックス前駆物質と混合すること、および
エポキシ、ポリ尿素、またはポリウレタンマトリックスを生成してナノコンポジットを提供するために前記マトリックス前駆物質を硬化すること、
を含み、前記ナノコンポジットは前記マトリックスに埋め込まれた発光ナノ結晶を含み、前記ナノ結晶は前記マトリックスに埋め込まれた場合に実質的に発光を保持する、前記方法。
【請求項２９】
前記リガンドが前記ナノ結晶の表面に結合するジカルボン酸部分を含む、請求項２８に記載の方法。
【請求項３０】
前記リガンドが、デシルアミン、オクチルアミン、
【化９】
2009544805.tif 000009
〔ここでｍは０〜２０の整数、ｎは０〜２０の整数、ｏは０〜２０の整数、ｐは１、２または３、ｑは０〜４０の整数である〕、
【化１０】
2009544805.tif 000010
、および
【化１１】
2009544805.tif 000011
から成る群より選択される、請求項２８に記載のナノコンポジット。
【請求項３１】
前記マトリックス前駆物質の硬化に先立ち前記第一混合物を望ましい形状に成型または形成することを含む、請求項２８に記載の方法。
【請求項３２】
結果的に生じるナノコンポジットの光出力が前記マトリックス中に埋め込まれていない同等のナノ結晶集団の光出力の少なくとも１０％である、請求項２８に記載の方法。
【請求項３３】
前記ナノ結晶がＣｄを含有しないナノ結晶である請求項２８に記載の方法。
【請求項３４】
発光ナノコンポジットを生成する方法であって、
ナノ結晶の表面に結合するリガンドを持つ発光ナノ結晶を提供し、前記リガンドが前記ナノ結晶の表面に結合するジカルボン酸部分を含むこと、
第一の混合物を生成するために前記ナノ結晶を一つ以上のマトリックス前駆物質と混合すること、および
マトリックスを生成してナノコンポジットを提供するために前記マトリックス前駆物質を硬化すること、
を含み、前記ナノコンポジットが前記マトリックス中に埋め込まれた前記発光ナノ結晶を含む、前記方法。
【請求項３５】
前記ナノ結晶は前記マトリックスに埋め込まれた際に実質的にその発光を保持する、請求項３４の方法。
【請求項３６】
前記リガンドが、
【化１２】
2009544805.tif 000012
〔ここでｍは０〜２０の整数、ｎは０〜２０の整数、ｏは０〜２０の整数、ｐは１、２または３、ｑは０〜４０の整数である〕、
【化１３】
2009544805.tif 000013
、および
【化１４】
2009544805.tif 000014
から成る群より選択される、請求項３４に記載の方法。
【請求項３７】
前記マトリックスがエポキシ、ポリ尿素、またはポリウレタンを含む、請求項３４に記載の方法。
【請求項３８】
前記マトリックス前駆物質の硬化に先立ち前記第一混合物を望ましい形状に成型または形成することを含む、請求項３４に記載の方法。
【請求項３９】
ナノ構造と前記ナノ構造の表面に結合するリガンドとを含む組成物であって、前記リガンドが、
【化１５】
2009544805.tif 000015
〔ここでｎは０〜４０の整数である〕、
【化１６】
2009544805.tif 000016
〔ここでｎは０〜４０の整数である〕、
【化１７】
2009544805.tif 000017
〔ここでｍは０〜２０の整数、ｎは０〜２０の整数、ｏは０〜２０の整数、ｐは１、２または３、ｑは０〜４０の整数、およびＲ'はＭｅまたはＢｕである〕、
【化１８】
2009544805.tif 000018
〔ここでｍは０〜２０の整数、ｎは０〜２０の整数、ｏは０〜２０の整数、ｐは１、２または３、ｑは１〜４０の整数、およびｒは０〜４０の整数である〕、
【化１９】
2009544805.tif 000019
〔ここでｎは１〜４０の整数、およびｍは０〜４０の整数である〕、
【化２０】
2009544805.tif 000020
〔ここでｍは０〜２０の整数、ｎは０〜２０の整数、ｏは０〜２０の整数、ｐは１、２または３、ｑは１〜４０の整数である〕、
【化２１】
2009544805.tif 000021
〔ここでｎは１〜４０の整数である〕、
【化２２】
2009544805.tif 000022
〔ここでｍは０〜２０の整数、ｎは０〜２０の整数、ｏは０〜２０の整数、ｐは１、２または３、ｑは１〜４０の整数である〕、
【化２３】
2009544805.tif 000023
〔ここでｎは１〜４０の整数である〕、
【化２４】
2009544805.tif 000024
〔ここでＲ’は-（ＯＳｉＭｅ２）ｒＳｉＭｅ３、ｍは０〜２０の整数、ｎは０〜２０の整数、ｏは０〜２０の整数、ｐは１、２または３、ｑは１〜４０の整数、ｒは０〜４０の整数である〕、
【化２５】
2009544805.tif 000025
〔ここでｎは１〜４０の整数、およびｍは０〜４０の整数である〕、
【化２６】
2009544805.tif 000026
〔ここでｍは０〜２０の整数、ｎは０〜２０の整数、ｐは１、２または３、ｏは０〜６０の整数である〕、
【化２７】
2009544805.tif 000027
〔ここでＲ’は-（ＣＨ２）ｒＣＨ３、ｍは０〜２０の整数、ｎは０〜２０の整数、ｏは０〜２０の整数、ｐは１、２または３、ｑは１〜４０の整数、ｒは０〜４０の整数である〕、
【化２８】
2009544805.tif 000028
〔ここでｎは１〜４０の整数である〕、
【化２９】
2009544805.tif 000029
〔ここでｍは０〜２０の整数、ｎは０〜２０の整数、ｏは０〜２０の整数、ｐは１、２または３、ｑは１〜４０の整数、およびｒは０〜４０の整数、およびジメチルシロキサン部分およびジカルボン酸ナノ構造結合部分を持つ部分がシリコン骨格に沿って無作為に位置付けられている〕、
【化３０】
2009544805.tif 000030
〔ここでｍは１〜４０の整数、ｎは０〜４０の整数、およびジメチルシロキサン部分およびジカルボン酸ナノ構造結合部分を持つ部分がシリコン骨格に沿って無作為に位置付けられている〕、
【化３１】
2009544805.tif 000031
〔ここでｍは０〜２０の整数、ｎは０〜２０の整数、ｏは０〜２０の整数、ｐは１、２または３、ｑは１〜４０の整数、およびｒは０〜４０の整数、およびフェニルメチルシロキサン部分およびジカルボン酸ナノ構造結合部分を持つ部分がシリコン骨格に沿って無作為に位置付けられている〕、
【化３２】
2009544805.tif 000032
〔ここでｍは０〜４０の整数、ｎは１〜４０の整数、およびフェニルメチルシロキサン部分およびジカルボン酸ナノ構造結合部分を持つ部分がシリコン骨格に沿って無作為に位置付けられている〕、
【化３３】
2009544805.tif 000033
〔ここでｍは０〜２０の整数、ｎは０〜２０の整数、ｏは０〜２０の整数、ｐは１、２または３、ｑは０〜４０の整数、およびｒは１、２または３である〕、
【化３４】
2009544805.tif 000034
、
【化３５】
2009544805.tif 000035
、
【化３６】
2009544805.tif 000036
〔ここでｍは０〜２０の整数、ｎは０〜２０の整数、ｏは０〜２０の整数、ｐは１、２または３、ｑは０〜４０の整数である〕、および
【化３７】
2009544805.tif 000037
から成る群より選択される前記組成物。
【請求項４０】
ナノ構造および前記ナノ構造の表面に結合するリガンドを含む組成物であって、
前記ナノ構造がＺｎＯまたはＺｎＳ以外の半導体を含み、前記ナノ構造が金属ナノ構造であるか、または前記ナノ構造がコアシェルナノ構造であり、
前記リガンドがポリ（ノルボルネン）-ポリ（ノルボルネン-ジカルボン酸）ジブロック共重合体以外のジカルボン酸またはポリカルボン酸である、前記組成物。